(57)【要約】【課題】「Ｃａｒｒｉｅｒ  Ｓｅｇｍｅｎｔ/Ｅｘｔｅｎｓｉｏｎ  Ｃａｒｒｉｅｒ」の非効率的なリソース割り当てを回避することにより、システムの効率化を実現する。【解決手段】本発明に係る移動局ＵＥは、無線基地局ｅＮＢから、下りデータの送信を通知する下りリンク制御信号を受信する制御信号受信部１１と、受信された下りリンク制御信号に基づいて、下りデータの受信を行う受信部１３とを具備し、下りリンク制御信号は、通常の「Ｃｏｍｐｏｎｅｎｔ  Ｃａｒｒｉｅｒ」のリソース割り当て情報「ＲＢ  ａｓｓｉｇｎｍｅｎｔ  ｉｎｆｏｍｒａｉｔｏｎ」に加えて、「Ｃａｒｒｉｅｒ  Ｓｅｇｍｅｎｔ/Ｅｘｔｅｎｓｉｏｎ  Ｃａｒｒｉｅｒ」の割り当ての有無を示すビットを含むことを要旨とする。【選択図】図３
2011135234.tif 000002
【特許請求の範囲】
【請求項１】
無線基地局と、通常のキャリアと付加的なキャリアとを用いて下りリンクの通信を行うように構成されている移動局であって、
前記無線基地局から、下りデータの送信を通知する下りリンク制御信号を受信するように構成されている制御信号受信部と、
受信された前記下り制御信号に基づいて、前記下りデータの受信を行うように構成されている号受信部とを具備し、
前記下りリンク制御信号は、前記通常のキャリアのリソース割り当て情報に加えて、前記付加的なキャリアの割り当ての有無を示すビットを含むことを特徴とする移動局。
【請求項２】
無線基地局と、通常のキャリアと付加的なキャリアとを用いて上りリンクの通信を行うように構成されている移動局であって、
前記無線基地局から、上りデータの送信を指示する下りリンク制御信号を受信するように構成されている制御信号受信部と、
受信された前記下り制御信号に基づいて、前記上りデータの送信を行うように構成されている送信部とを具備し、
前記下りリンク制御信号は、前記通常のキャリアのリソース割り当て情報に加えて、前記付加的なキャリアの割り当ての有無を示すビットを含むことを特徴とする移動局。
【請求項３】
移動局と、通常のキャリアと付加的なキャリアとを用いて下りリンクの通信を行うように構成されている無線基地局であって、
前記移動局に対して、下りデータの送信を通知する下りリンク制御信号を送信するように構成されている制御信号送信部と、
前記下りデータの送信を行うように構成されている送信部とを具備し、
前記下りリンク制御信号は、前記通常のキャリアのリソース割り当て情報に加えて、前記付加的なキャリアの割り当ての有無を示すビットを含むことを特徴とする無線基地局。
【請求項４】
移動局と、通常のキャリアと付加的なキャリアとを用いて上りリンクの通信を行うように構成されている無線基地局であって、
前記移動局に対して、上りデータの送信を指示する下りリンク制御信号を送信するように構成されている制御信号送信部と、
前記上りデータの受信を行うように構成されているとを具備し、
前記下りリンク制御信号は、前記通常のキャリアのリソース割り当て情報に加えて、前記付加的なキャリアの割り当ての有無を示すビットを含むことを特徴とする無線基地局。
【請求項５】
無線基地局と、通常のキャリアと付加的なキャリアとを用いて下りリンクの通信を行う移動局における移動通信方法であって、
前記無線基地局から、下りデータの送信を通知する下りリンク制御信号を受信する工程と、
受信された前記下り制御信号に基づいて、前記下りデータの受信を行う工程とを備え、
前記下りリンク制御信号は、前記通常のキャリアのリソース割り当て情報に加えて、前記付加的なキャリアの割り当ての有無を示すビットを含むことを特徴とする移動通信方法。
【請求項６】
無線基地局と、通常のキャリアと付加的なキャリアとを用いて上りリンクの通信を行う移動局における移動通信方法であって、
前記無線基地局から、上りデータの送信を指示する下りリンク制御信号を送信する工程と、
受信された前記下り制御信号に基づいて、前記上りデータの送信を行う工程とを備え、
前記下りリンク制御信号は、前記通常のキャリアのリソース割り当て情報に加えて、前記付加的なキャリアの割り当ての有無を示すビットを含むことを特徴とする移動通信方法。
【発明の詳細な説明】
【技術分野】
【０００１】
本発明は、移動通信の技術分野に関連し、特に、次世代移動通信技術を用いる移動通信システムにおける移動局、無線基地局及び移動通信方法に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が進められている。
【０００３】
ＬＴＥ方式での無線アクセス方式として、下りリンクについては直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が規定され、上りリンクについてはシングルキャリア周波数分割多重接続（ＳＣ-ＦＤＭＡ：Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が規定されている（例えば、非特許文献１参照）。
【０００４】
ＯＦＤＭＡ方式は、周波数帯域を複数の狭い周波数帯域（サブキャリア）に分割し、各サブキャリアにデータを載せて伝送を行うマルチキャリア伝送方式である。ＯＦＤＭＡ方式によれば、サブキャリアを周波数軸上に直交させながら密に並べることで高速伝送を実現し、周波数の利用効率を上げることが期待できる。
【０００５】
ＳＣ-ＦＤＭＡ方式は、周波数帯域を端末ごとに分割し、複数の移動局ＵＥ（ユーザ装置）間で異なる周波数帯域を用いて伝送するシングルキャリア伝送方式である。ＳＣ-ＦＤＭＡ方式によれば、移動局ＵＥ間の干渉を簡易且つ効果的に低減することができることに加えて送信電力の変動を小さくできるので、ＳＣ-ＦＤＭＡ方式は、移動局ＵＥの低消費電力化及びカバレッジの拡大等の観点から好ましい。
【０００６】
ＬＴＥ方式は、上りリンク及び下りリンク共に、１つ乃至２つ以上の物理チャネルを複数の移動局ＵＥで共有して通信を行うシステムである。
【０００７】
複数の移動局ＵＥで共有されるチャネルは、一般に「共有チャネル」と呼ばれ、ＬＴＥ方式においては、上りリンクにおいては「物理上りリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）」であり、下りリンクにおいては「物理下りリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）」である。
【０００８】
また、かかる共有チャネルは、トランスポートチャネルとしては、上りリンクにおいては「上りリンク共有チャネル（ＵＬ-ＳＣＨ：Ｕｐｌｉｎｋ  Ｓｈａｒｅｄ  Ｃｈａｎｎｅｌ）」であり、下りリンクにおいては「下りリンク共有チャネル（ＤＬ-ＳＣＨ：Ｄｏｗｎｌｉｎｋ  Ｓｈａｒｅｄ  Ｃｈａｎｎｅｌ）」である。
【０００９】
そして、上述したような共有チャネルを用いた通信システムにおいては、サブフレーム（Ｓｕｂ-ｆｒａｍｅ）（ＬＴＥ方式では、１ｍｓ）ごとに、どの移動局ＵＥに対して共有チャネルを割り当てるかを選択し、選択された移動局ＵＥに対して、共有チャネルを割り当てることをシグナリングする必要がある。
【００１０】
このシグナリングのために用いられる制御チャネルは、ＬＴＥ方式では、「物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）」又は「下りリンクＬ１/Ｌ２制御チャネル（ＤＬ  Ｌ１/Ｌ２  Ｃｏｎｔｒｏｌ  Ｃｈａｎｎｅｌ：Ｄｏｗｎｌｉｎｋ  Ｌ１/Ｌ２  Ｃｏｎｔｒｏｌ  Ｃｈａｎｎｅｌ）」と呼ばれる。
【００１１】
なお、上述した、サブフレームごとに、どの移動局ＵＥに対して共有チャネルを割り当てるかを選択する処理のことを、一般に「スケジューリング」と呼ぶ。また、上述した「共有チャネルを割り当てる」という表現は、「共有チャネルのための無線リソースを割り当てる」と表現されてもよい。
【００１２】
物理下りリンク制御チャネルの情報には、例えば、「下りリンクスケジューリング情報（Ｄｏｗｎｌｉｎｋ  Ｓｃｈｅｄｕｌｉｎｇ  Ｉｎｆｏｒｍａｔｉｏｎ）」や、「上りリンクスケジューリンググラント（Ｕｐｌｉｎｋ  Ｓｃｈｅｄｕｌｉｎｇ  Ｇｒａｎｔ）」等が含まれる。
【００１３】
「Ｄｏｗｎｌｉｎｋ  Ｓｃｈｅｄｕｌｉｎｇ  Ｉｎｆｏｒｍａｔｉｏｎ」には、例えば、下りリンクの共有チャネルに関する、下りリンクのリソースブロック（Ｒｅｓｏｕｒｃｅ  Ｂｌｏｃｋ）の割り当て情報、ＵＥ-ＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。
【００１４】
また、「Ｕｐｌｉｎｋ  Ｓｃｈｅｄｕｌｉｎｇ  Ｇｒａｎｔ」には、例えば、上りリンクの共有チャネルに関する、上りリンクのリソースブロック（Ｒｅｓｏｕｒｃｅ  Ｂｌｏｃｋ）の割り当て情報、ＵＥ-ＩＤ、データサイズ、変調方式、上りリンクの送信電力情報、Ｕｐｌｉｎｋ  ＭＩＭＯにおけるデモジュレーション  レファレンス  シグナル（Ｄｅｍｏｄｕｌａｔｉｏｎ  Ｒｅｆｅｒｅｎｃｅ  Ｓｉｇｎａｌ）の情報等が含まれる。
【００１５】
なお、上述した「Ｄｏｗｎｌｉｎｋ  Ｓｃｈｅｄｕｌｉｎｇ  Ｉｎｆｏｒａｍｔｉｏｎ」や「Ｕｐｌｉｎｋ  Ｓｃｈｅｄｕｌｉｎｇ  Ｇｒａｎｔ」は、まとめて、「下りリンク制御情報（ＤＣＩ：  Ｄｏｗｎｌｉｎｋ  Ｃｏｎｔｒｏｌ  Ｉｎｆｏｒｍａｔｉｏｎ）」と呼ばれてもよい。
【００１６】
ところで、ＬＴＥ方式の後継の通信方式として、ＬＴＥ-ａｄｖａｎｃｅｄ方式が、３ＧＰＰで検討されている。ＬＴＥ-ａｄｖａｎｃｅｄ方式の要求条件は、非特許文献２にまとめられている。
【００１７】
ＬＴＥ-ａｄｖａｎｃｅｄ方式では、その要求条件として、「Ｃａｒｒｉｅｒ  ａｇｇａｒｅｇａｔｉｏｎ」を行うことが合意されている。ここで、「Ｃａｒｒｉｅｒ  ａｇｇｒｅｇａｔｉｏｎ」とは、複数のキャリアを用いて同時に通信を行うことを意味する。
【００１８】
例えば、上りリンクにおいて「Ｃａｒｒｉｅｒ  ａｇｇｒｅｇａｔｉｏｎ」が行われる場合、移動局ＵＥは、「Ｃｏｍｐｏｎｅｎｔ  Ｃａｒｒｉｅｒ」ごとに異なる複数のキャリアを用いて送信を行うため、かかる複数のキャリアを用いて上りリンクの信号を送信する。
【００１９】
或いは、例えば、下りリンクにおいて「Ｃａｒｒｉｅｒ  ａｇｇｒｅｇａｔｉｏｎ」が行われる場合、無線基地局ｅＮＢは、「Ｃｏｍｐｏｎｅｎｔ  Ｃａｒｒｉｅｒ」ごとに異なる複数のキャリアを用いて送信を行い、移動局ＵＥは、かかる複数のキャリアを用いて下りリンクの信号を受信する。
【００２０】
ところで、ＬＴＥにおいては、システム帯域幅（チャネル帯域幅：Ｃｈａｎｎｅｌ  Ｂａｎｄｗｉｄｔｈ）として、６ＲＢｓ、１５ＲＢｓ、２５ＲＢｓ、５０ＲＢｓ、７５ＲＢｓ、１００ＲＢｓが定義されている（非特許文献３）。なお、１ＲＢ（リソースブロック）は、１８０ｋＨｚである。
【００２１】
ＬＴＥ-ａｄｖａｎｃｅ方式における「Ｃｏｍｐｏｎｅｎｔ  Ｃａｒｒｉｅｒ」は、原則として、ＬＴＥの１つのキャリアであり、「Ｃｏｍｐｏｎｅｎｔ  Ｃａｒｒｉｅｒ」の帯域幅も、上述のチャネル帯域幅と同一とすることが提案されている。
【００２２】
ここで、例えば、４０ＭＨｚの帯域が存在する場合に、上述した「Ｃｏｍｐｏｎｅｎｔ  ｃａｒｒｉｅｒ」の組み合わせとして、１００ＲＢｓ、１００ＲＢｓ、６ＲＢｓとすることが考えられる。
【００２３】
この場合、上述した６ＲＢｓにおいて、同期信号や報知情報等の共通チャネル信号を送信することは、無線リソースの無駄使いとなるため、上述の６ＲＢｓの「Ｃｏｍｐｏｎｅｎｔ  Ｃａｒｒｉｅｒ」を「Ｃａｒｒｉｅｒ  Ｓｅｇｍｅｎｔ」或いは「Ｅｘｔｅｎｓｉｏｎ  Ｃａｒｒｉｅｒ」として定義することが議論されている。
【００２４】
上述の「Ｃａｒｒｉｅｒ  Ｓｅｇｍｅｎｔ」或いは「Ｅｘｔｅｎｓｉｏｎ  Ｃａｒｒｉｅｒ」においては、同期信号や報知情報等の共通チャネル信号によるオーバヘッドを削減するため、かかる共通チャネル信号を送信しないことが議論されている。
【００２５】
また、上述の「Ｃａｒｒｉｅｒ  Ｓｅｇｍｅｎｔ」或いは「Ｅｘｔｅｎｓｉｏｎ  Ｃａｒｒｉｅｒ」のために、追加で物理下りリンク制御チャネル（ＰＤＣＣＨ）信号を送信することによる無線リソースの無駄遣いを避けるため、通常の「Ｃｏｍｐｏｎｅｎｔ  Ｃａｒｒｉｅｒ」と、「Ｃａｒｒｉｅｒ  Ｓｅｇｍｅｎｔ」或いは「Ｅｘｔｅｎｓｉｏｎ  Ｃａｒｒｉｅｒ」とに対して、まとめて１つの物理下りリンク制御チャネル（ＰＤＣＣＨ）信号を送信することが提案されている。
【先行技術文献】
【非特許文献】
【００２６】
【非特許文献１】３ＧＰＰ  ＴＳ３６.２１１（Ｖ８.３.０）、「Ｐｈｙｓｉｃａｌ  Ｃｈａｎｎｅｌｓ  ａｎｄ  Ｍｏｄｕｌａｔｉｏｎ」、２００８年５月
【非特許文献２】３ＧＰＰ  ＴＳ３６.９１３（Ｖ８.０.１）、「Ｒｅｑｕｉｒｅｍｅｎｔ  ｆｏｒ  ｆｕｒｔｈｅｒ  ａｄｖａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）（ＬＴＥ-Ａｄｖａｎｃｅｄ）」
【非特許文献３】３ＧＰＰ  ＴＳ３６.１０１（Ｖ８.２.０）、「Ｅ-ＵＴＲＡ  ＵＥ  ｒａｄｉｏ  ｔｒａｎｓｍｉｓｓｉｏｎ  ａｎｄ  ｒｅｃｅｐｔｉｏｎ」
【発明の概要】
【発明が解決しようとする課題】
【００２７】
しかしながら、上述した従来の移動通信システムには、以下のような問題点がある。
【００２８】
通常の「Ｃｏｍｐｏｎｅｎｔ  Ｃａｒｒｉｅｒ」のリソース割り当てにおいては、図９に示すように、システム帯域幅におけるリソースブロック数に応じて、リソースブロック数をグループ化する場合の大きさが決定され、そのグループ化されたリソースブロックのグループごとに、リソースブロックの割り当てが行われる。
【００２９】
例えば、システム帯域幅が５ＭＨｚの場合には、リソースブロック数が「２５」となるため、リソースブロックサイズは「２」となる。
【００３０】
この場合、リソースの割り当てにおいて、図１０に示すように、２個のリソースブロックから構成されるリソースグループごとに１ビットが定義され、その１ビットの値に基づいて、リソースの割り当てがあるか否かについて指定される。
【００３１】
すなわち、リソースブロックグループ＃１、＃２、＃３、…に対して、リソースブロックの割り当ての有無を指定するビット＃１、＃２、＃３、…が定義され、ビット＃１、＃２、＃３、…の値「０」又は「１」に応じて、リソースの割り当ての有無が指定される。
【００３２】
より具体的には、上述のビットの値が「０」である場合に、リソースの割り当てがあると指定され、上述のビットの値が「１」である場合に、リソースの割り当てがないと指定されてもよい。
【００３３】
しかしながら、通常の「Ｃｏｍｐｏｎｅｎｔ  Ｃａｒｒｉｅｒ」に対して、「Ｃａｒｒｉｅｒ  Ｓｅｇｍｅｎｔ」或いは「Ｅｘｔｅｎｓｉｏｎ  Ｃａｒｒｉｅｒ」が付与される場合、両者のリソースブロックサイズが異なるため、効率良く、リソースの割り当てができないという問題が生じる。
【００３４】
以下では、「Ｃａｒｒｉｅｒ  Ｓｅｇｍｅｎｔ」に関して説明を行う。なお、「Ｅｘｔｅｎｓｉｏｎ  Ｃａｒｒｉｅｒ」に関しても、通常の「Ｃｏｍｐｏｎｅｎｔ  Ｃａｒｒｉｅｒ」と「Ｅｘｔｅｎｓｉｏｎ  Ｃａｒｒｉｅｒ」とを合わせて、１つのＰＤＣＣＨ信号が通知される場合には、同様の問題が生じる。
【００３５】
例えば、通常の「Ｃｏｍｐｏｎｅｎｔ  Ｃａｒｒｉｅｒ」のリソースブロック数が「２５」であり、「Ｃａｒｒｉｅｒ  Ｓｅｇｍｅｎｔ」のリソースブロック数が「６」である場合、トータルのリソースブロック数が「３１」になり、図９に示すように、リソースブロックサイズは「３」になる。
この場合、図１１に示すように、「Ｃａｒｒｉｅｒ  Ｓｅｇｍｅｎｔ」をサポートしない移動局ＵＥのためのリソース割り当てに関しては、２個のリソースブロックでグループ化されたリソースブロックグループでリソースの割り当てが行われ、「Ｃａｒｒｉｅｒ  Ｓｅｇｍｅｎｔ」をサポートする移動局ＵＥのためのリソース割り当てに関しては、３個のリソースブロックでグループ化されたリソースブロックグループでリソースの割り当てが行われることになる。
【００３６】
このとき、「Ｃａｒｒｉｅｒ  Ｓｅｇｍｅｎｔ」をサポートしない移動局ＵＥと「Ｃａｒｒｉｅｒ  Ｓｅｇｍｅｎｔ」をサポートする移動局ＵＥとが混在する場合、隙間なくリソースブロックの割り当てを行うことが困難となり、結果として、システムの効率が劣化するという問題が生じる。
【００３７】
なお、「Ｃａｒｒｉｅｒ  Ｓｅｇｍｅｎｔ」をサポートしない移動局ＵＥとは、例えば、ＬＴＥ-ａｄｖｎｃｅｄ方式のＣａｐａｂｉｌｉｔｙを持たず、ＬＴＥ方式のＣａｐａｂｉｌｉｔｙのみを持つ移動局ＵＥであってもよい。
【００３８】
そこで、本発明は、上述の課題に鑑みてなされたものであり、周波数リソースの有効利用のために付与される「Ｃａｒｒｉｅｒ  Ｓｅｇｍｅｎｔ」或いは「Ｅｘｔｅｎｓｉｏｎ  Ｃａｒｒｉｅｒ」において、効率的にリソースの割り当てを行うことにより、システムの効率化を実現することができる移動局、無線基地局及び移動通信方法を提供することを目的とする。
【課題を解決するための手段】
【００３９】
本発明の第１の特徴は、無線基地局と、通常のキャリアと付加的なキャリアとを用いて下りリンクの通信を行うように構成されている移動局であって、前記無線基地局から、下りデータの送信を通知する下りリンク制御信号を受信するように構成されている制御信号受信部と、受信された前記下り制御信号に基づいて、前記下りデータの受信を行うように構成されている受信部とを具備し、前記下りリンク制御信号は、前記通常のキャリアのリソース割り当て情報に加えて、前記付加的なキャリアの割り当ての有無を示すビットを含むことを要旨とする。
【００４０】
本発明の第２の特徴は、無線基地局と、通常のキャリアと付加的なキャリアとを用いて上りリンクの通信を行うように構成されている移動局であって、前記無線基地局から、上りデータの送信を指示する下りリンク制御信号を受信するように構成されている制御信号受信部と、受信された前記下り制御信号に基づいて、前記上りデータの送信を行うように構成されている送信部とを具備し、前記下りリンク制御信号は、前記通常のキャリアのリソース割り当て情報に加えて、前記付加的なキャリアの割り当ての有無を示すビットを含むことを要旨とする。
【００４１】
本発明の第３の特徴は、移動局と、通常のキャリアと付加的なキャリアとを用いて下りリンクの通信を行うように構成されている無線基地局であって、前記移動局に対して、下りデータの送信を通知する下りリンク制御信号を送信するように構成されている制御信号送信部と、前記下りデータの送信を行うように構成されている送信部とを具備し、前記下りリンク制御信号は、前記通常のキャリアのリソース割り当て情報に加えて、前記付加的なキャリアの割り当ての有無を示すビットを含むことを要旨とする。
【００４２】
本発明の第４の特徴は、移動局と、通常のキャリアと付加的なキャリアとを用いて上りリンクの通信を行うように構成されている無線基地局であって、前記移動局に対して、上りデータの送信を指示する下りリンク制御信号を送信するように構成されている制御信号送信部と、前記上りデータの受信を行うように構成されている受信部とを具備し、前記下りリンク制御信号は、前記通常のキャリアのリソース割り当て情報に加えて、前記付加的なキャリアの割り当ての有無を示すビットを含むことを要旨とする。
【００４３】
本発明の第５の特徴は、無線基地局と、通常のキャリアと付加的なキャリアとを用いて下りリンクの通信を行う移動局における移動通信方法であって、前記無線基地局から、下りデータの送信を通知する下りリンク制御信号を受信する工程と、受信された前記下り制御信号に基づいて、前記下りデータの受信を行う工程とを備え、前記下りリンク制御信号は、前記通常のキャリアのリソース割り当て情報に加えて、前記付加的なキャリアの割り当ての有無を示すビットを含むことを要旨とする。
【００４４】
本発明の第６の特徴は、無線基地局と、通常のキャリアと付加的なキャリアとを用いて上りリンクの通信を行う移動局における移動通信方法であって、前記無線基地局から、上りデータの送信を指示する下りリンク制御信号を送信する工程と、受信された前記下り制御信号に基づいて、前記上りデータの送信を行う工程とを備え、前記下りリンク制御信号は、前記通常のキャリアのリソース割り当て情報に加えて、前記付加的なキャリアの割り当ての有無を示すビットを含むことを要旨とする。
【発明の効果】
【００４５】
以上説明したように、本発明によれば、周波数リソースの有効利用のために付与される「Ｃａｒｒｉｅｒ  Ｓｅｇｍｅｎｔ」或いは「Ｅｘｔｅｎｓｉｏｎ  Ｃａｒｒｉｅｒ」において、効率的にリソースの割り当てを行うことにより、システムの効率化を実現することができる移動局、無線基地局及び移動通信方法を提供することができる。
【図面の簡単な説明】
【００４６】
【図１】本発明の第１の実施形態に係る移動通信システムの全体構成図である。
【図２】本発明の第１の実施形態に係る移動通信システムにおける下りスケジューリング情報について説明するための図である。
【図３】本発明の第１の実施形態に係る「Ｃａｒｒｉｅｒ  Ｓｅｇｍｅｎｔ」或いは「Ｅｘｔｅｎｓｉｏｎ  Ｃａｒｒｉｅｒ」の「ＲＢ  ａｓｓｉｇｎｍｅｎｔ  ｉｎｆｏｒｍａｔｉｏｎ」について説明するための図である。
【図４】本発明の第１の実施形態に係る移動通信システムにおける上りスケジューリンググラントについて説明するための図である。
【図５】本発明の第１の実施形態に係る「Ｃａｒｒｉｅｒ  Ｓｅｇｍｅｎｔ」或いは「Ｅｘｔｅｎｓｉｏｎ  Ｃａｒｒｉｅｒ」の「ＲＢ  ａｓｓｉｇｎｍｅｎｔ  ｉｎｆｏｒｍａｔｉｏｎ」について説明するための図である。
【図６】本発明の第１の実施形態に係る移動局ＵＥの構成について説明するための図である。
【図７】本発明の第１の実施形態に係る無線基地局ｅＮＢの構成について説明するための図である。
【図８】本発明の第１の実施形態に係る移動通信方法について説明するためのフローチャートである。
【図９】従来技術における、通常の「Ｃｏｍｐｏｎｅｎｔ  Ｃａｒｒｉｅｒ」のリソース割り当てのためのリソースブロックグループの大きさを決定するための表である。
【図１０】従来技術における、通常の「Ｃｏｍｐｏｎｅｎｔ  Ｃａｒｒｉｅｒ」のリソース割り当ての一例を説明するための図である。
【図１１】「Ｃａｒｒｉｅｒ  Ｓｅｇｍｅｎｔ」のリソース割り当てに関する、本発明が解決しようとする課題を説明するための図である。
【発明を実施するための形態】
【００４７】
（本発明の第１の実施形態に係る移動通信システム）
以下、本発明の第１の実施形態に係る移動通信システムについて、図面を参照しつつ説明する。本実施形態を説明するための全図において、同一機能を有するものは同一符号を用い、繰り返しの説明は省略する。
【００４８】
なお、以下の説明では、「Ｃａｒｒｉｅｒ  Ｓｅｇｍｅｎｔ」或いは「Ｅｘｔｅｎｓｉｏｎ  Ｃａｒｒｉｅｒ」を「周波数リソースの有効利用のために付与される小さいキャリア」と定義し、その総称として、「Ｃａｒｒｉｅｒ  Ｓｅｇｍｅｎｔ/Ｅｘｔｅｎｓｉｏｎ  Ｃａｒｒｉｅｒ」と呼ぶ。
【００４９】
よって、「Ｃａｒｒｉｅｒ  Ｓｅｇｍｅｎｔ/Ｅｘｔｅｎｓｉｏｎ  Ｃａｒｒｉｅｒ」は、「Ｃａｒｒｉｅｒ  Ｓｅｇｍｅｎｔ」であってもよいし、「Ｅｘｔｅｎｓｉｏｎ  Ｃａｒｒｉｅｒ」であってもよい。
【００５０】
図１を参照しながら、本実施形態に係る移動局ＵＥ及び無線基地局ｅＮＢを有する移動通信システムについて説明する。
【００５１】
本実施形態に係る移動通信システムは、例えば、「Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ、或いは、Ｓｕｐｅｒ  ３Ｇ）」方式、或いは、ＬＴＥ-Ａｄｖａｎｃｅｄ方式が適用されるシステムである。
【００５２】
図１に示すように、本実施形態に係る移動通信システムは、無線基地局ｅＮＢと、無線基地局ｅＮＢと通信する移動局ＵＥとを具備する。
【００５３】
本実施形態に係る移動通信システムでは、無線アクセス方式として、下りリンクについては「ＯＦＤＭＡ（直交周波数分割多元接続）方式」が適用され、上りリンクについては「ＳＣ-ＦＤＭＡ（シングルキャリア-周波数分割多元接続）方式」が適用される。
【００５４】
上述したように、ＯＦＤＭＡ方式は、周波数帯域を複数の狭い周波数帯域（サブキャリア）に分割し、各サブキャリアにデータをマッピングして通信を行うマルチキャリア伝送方式である。また、ＳＣ-ＦＤＭＡ方式は、周波数帯域を移動局ＵＥ毎に分割し、複数の移動局ＵＥが互いに異なる周波数帯域を用いることで、移動局ＵＥ間の干渉を低減するシングルキャリア伝送方式である。
【００５５】
なお、本実施形態に係る移動通信システムでは、「Ｃａｒｒｉｅｒ  Ａｇｇｒｅｇａｔｉｏｎ」が行われるように構成されている。
【００５６】
具体的には、下りリンクについては、「Ｃｏｍｐｏｎｅｎｔ  Ｃａｒｒｉｅｒ（コンポーネントキャリア）」を複数用いた通信が行われる。ここで、「Ｃｏｍｐｏｎｅｎｔ  Ｃａｒｒｉｅｒ」とは、ＬＴＥ方式における１つのシステムキャリアに相当する。すなわち、ＬＴＥ方式では、１つの「Ｃｏｍｐｏｎｅｎｔ  Ｃａｒｒｉｅｒ」で通信が行われていたが、ＬＴＥ-Ａｄｖａｎｃｅｄ方式では、２つ以上の「Ｃｏｍｐｏｎｅｎｔ  Ｃａｒｒｉｅｒ」で通信が行われてもよい。
【００５７】
上りリンクにおいても、２つ以上の「Ｃｏｍｐｏｎｅｎｔ  Ｃａｒｒｉｅｒ」で通信が行われてもよい。
【００５８】
ここで、「Ｅｖｏｌｖｅｄ  ＵＴＲＡ  ａｎｄ  ＵＴＲＡＮ（ＬＴＥ）」方式で用いられる通信チャネルについて説明する。なお、以下に示す通信チャネルは、ＬＴＥ-Ａｄｖａｎｃｅｄ方式においても用いられる。
【００５９】
下りリンクについては、各移動局ＵＥで共有される「物理下りリンク共有チャネル（ＰＤＳＣＨ）」及び「物理下りリンク制御チャネル（ＰＤＣＣＨ）」が用いられる。
【００６０】
物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）により、下りリンクのユーザデータ（下りデータ）、すなわち、通常のデータ信号が伝送される。
【００６１】
ここで、データ信号とは、ベストエフォート型のパケットデータやストリーミング型のパケットデータや制御信号等である。ベストエフォート型のパケットデータには、メールの送受信のためのパケットデータやＷｅｂ  ｂｒｏｗｓｉｎｇのためのパケットデータ等が含まれる。また、データ信号には、ＶｏＩＰ等による音声信号等も含まれてもよい。
【００６２】
また、制御信号は、例えば、ＲＲＣメッセージであり、論理チャネルとしては、ＤＣＣＨ（Ｄｅｄｉｃａｔｅｄ  Ｃｏｎｔｒｏｌ  Ｃｈａｎｎｅｌ）であってもよい。
【００６３】
また、ＰＤＣＣＨにより、ＰＤＳＣＨを用いて通信を行う移動局ＵＥのＩＤやユーザデータのトランスポートフォーマットの情報（すなわち、下りスケジューリング情報）や、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を用いて通信を行う移動局ＵＥのＩＤやユーザデータのトランスポートフォーマットの情報（すなわち、上りスケジューリンググラント）等が通知される。
【００６４】
ＰＤＣＣＨは、「下りＬ１/Ｌ２制御チャネル（Ｄｏｗｎｌｉｎｋ  Ｌ１/Ｌ２  Ｃｏｎｔｒｏｌ  Ｃｈａｎｎｅｌ）」と呼ばれてもよい。また、「下りスケジューリング情報」や「上りスケジューリンググラント」は、まとめて、「下りリンク制御情報（ＤＣＩ）」と呼ばれてもよい。
【００６５】
図２に、下りスケジューリング情報に含まれる情報要素の一例を示す。図２に示すように、下りスケジューリング情報には、例えば、「Ｆｏｒｍａｔ  Ｉｎｄｉｃａｔｏｒ」や「ＲＢ  ａｓｓｉｇｎｍｅｎｔ  ｉｎｆｏｒｍａｔｉｏｎ」や「ＭＣＳ  ｉｎｆｏｒｍａｔｉｏｎ」や「ＨＡＲＱ  ｐｒｏｃｅｓｓ  ｉｎｆｏｒｍａｔｉｏｎ」や「Ｎｅｗ  Ｄａｔａ  Ｉｎｄｉｃａｔｏｒ」や「ＴＰＣ  ｂｉｔ」や「ＲＮＴＩ/ＣＲＣ」等の情報要素が含まれてもよい。なお、かかる情報要素は一例であり、上記以外の情報要素が含まれてもよいし、上記の内の一部の情報要素のみが含まれてもよい。
【００６６】
「Ｆｏｒｍａｔ  Ｉｎｄｉｃａｔｏｒ」は、当該ＰＤＣＣＨが、上りリンクのための情報であるか或いは下りリンクのための情報であるかについて示す情報である。
【００６７】
「ＲＢ  ａｓｓｉｇｎｍｅｎｔ  ｉｎｆｏｒｍａｔｉｏｎ」は、当該ＰＤＣＣＨにより指定される下りリンクの信号に関するリソースブロックの割当情報を示す情報である。
【００６８】
「ＭＣＳ  ｉｎｆｏｒｍａｔｉｏｎ」は、当該ＰＤＣＣＨにより指定される下りリンクの信号に関するＭＣＳに関する情報を示す情報である。
【００６９】
「ＨＡＲＱＰ  ｐｒｏｃｅｓｓ  ｉｎｆｏｒｍａｔｉｏｎ」は、当該ＰＤＣＣＨにより指定される下りリンクの信号のＨＡＲＱ  ｐｒｏｃｅｓｓの情報を示す情報である。
【００７０】
「Ｎｅｗ  Ｄａｔａ  Ｉｎｄｉｃａｔｏｒ」は、当該ＰＤＣＣＨにより指定される下りリンクの信号が新規送信であるか或いは再送であるかについて示す情報である。
【００７１】
「ＴＰＣ  ｂｉｔ」は、当該ＰＤＣＣＨにより指定される上りリンク制御信号の送信電力制御のための情報である。「ＲＮＴＩ/ＣＲＣ」は、ＵＥ  ＩＤ及びＣＲＣビットである。
【００７２】
図３を用いて、「ＲＢ  ａｓｓｉｇｎｍｅｎｔ  ｉｎｆｏｒｍａｔｉｏｎ」に関して、さらに詳しく説明を行う。図３に示すように、「ＲＢ  ａｓｓｉｇｎｍｅｎｔ  ｉｎｆｏｒｍａｔｉｏｎ」は、通常の「Ｃｏｍｐｏｎｅｎｔ  Ｃａｒｒｉｅｒ」のための「ＲＢ  ａｓｓｉｇｎｍｅｎｔ  ｉｎｆｏｒｍａｔｉｏｎ（図３に示すＡの部分）」と、「Ｃａｒｒｉｅｒ  Ｓｅｇｍｅｎｔ/Ｅｘｔｅｎｓｉｏｎ  Ｃａｒｒｉｅｒｎ」のための「ＲＢ  ａｓｓｉｇｎｍｅｎｔ  ｉｎｆｏｒｍａｔｉｏｎ（図２に示すＢの部分）」とから構成される。
【００７３】
ここで、通常の「Ｃｏｍｐｏｎｅｎｔ  Ｃａｒｒｉｅｒ」のための「ＲＢ  ａｓｓｉｇｎｍｅｎｔ  ｉｎｆｏｒｍａｔｉｏｎ（図３に示すＡの部分）」は、例えば、３ＧＰＰのＴＳ３６.２１３の「７.１.６  Ｒｅｓｏｕｒｃｅ  ａｌｌｏｃａｔｉｏｎ」において規定されている「ＲＢ （Ｒｅｓｏｕｒｃｅ  Ｂｌｏｃｋ）  ａｓｓｉｇｎｍｅｎｔ  ｉｎｆｏｒｍａｔｉｏｎ」と同一であってもよい。
【００７４】
また、「Ｃａｒｒｉｅｒ  Ｓｅｇｍｅｎｔ/Ｅｘｔｅｎｓｉｏｎ  Ｃａｒｒｉｅｒｎ」のための「ＲＢ  ａｓｓｉｇｎｍｅｎｔ  ｉｎｆｏｒｍａｔｉｏｎ（図３に示すＢの部分）」は、１つの「Ｃａｒｒｉｅｒ  Ｓｅｇｍｅｎｔ/Ｅｘｔｅｎｓｉｏｎ  Ｃａｒｒｉｅｒ」に対して、所定数のビットを定義し、かかるビットによってリソースの割り当てを指示してもよい。
【００７５】
例えば、図３に示すように、「Ｃａｒｒｉｅｒ  Ｓｅｇｍｅｎｔ/Ｅｘｔｅｎｓｉｏｎ  Ｃａｒｒｉｅｒ  ＃Ａ」と「Ｃａｒｒｉｅｒ  Ｓｅｇｍｅｎｔ/Ｅｘｔｅｎｓｉｏｎ  Ｃａｒｒｉｅｒ  ＃Ｂ」と「Ｃａｒｒｉｅｒ  Ｓｅｇｍｅｎｔ／Ｅｘｔｅｎｓｉｏｎ  Ｃａｒｒｉｅｒ  ＃Ｃ」とが存在する場合に、ビット＃ａやビット＃ｂやビット＃ｃがそれぞれ定義され、かかるビット＃ａやビット＃ｂやビット＃ｃによって、それぞれ「Ｃａｒｒｉｅｒ  Ｓｅｇｍｅｎｔ/Ｅｘｔｅｎｓｉｏｎ  Ｃａｒｒｉｅｒ  ＃Ａ」や「Ｃａｒｒｉｅｒ  Ｓｅｇｍｅｎｔ/Ｅｘｔｅｎｓｉｏｎ  Ｃａｒｒｉｅｒ  ＃Ｂ」や「Ｃａｒｒｉｅｒ  Ｓｅｇｍｅｎｔ/Ｅｘｔｅｎｓｉｏｎ  Ｃａｒｒｉｅｒ  ＃Ｃ」の割り当てが指示されてもよい。
【００７６】
より具体的には、「Ｃａｒｒｉｅｒ  Ｓｅｇｍｅｎｔ/Ｅｘｔｅｎｓｉｏｎ  Ｃａｒｒｉｅｒ  ＃Ａ」のＲＢ数を「６」とし、ビット＃ａを１ビットとした場合に、「ビット＃ａ＝０」の場合に、「Ｃａｒｒｉｅｒ  Ｓｅｇｍｅｎｔ/Ｅｘｔｅｎｓｉｏｎ  Ｃａｒｒｉｅｒ＃Ａ」においてリソースの割り当てがある、すなわち、「Ｃａｒｒｉｅｒ  Ｓｅｇｍｅｎｔ/Ｅｘｔｅｎｓｉｏｎ  Ｃａｒｒｉｅｒ＃Ａ」の６ＲＢｓにおいてＰＤＳＣＨ信号が送信されると定義され、「ビット＃ａ＝１」の場合に、「Ｃａｒｒｉｅｒ  Ｓｅｇｍｅｎｔ/Ｅｘｔｅｎｓｉｏｎ  Ｃａｒｒｉｅｒ＃Ａ」においてリソースの割り当てがない、すなわち、「Ｃａｒｒｉｅｒ  Ｓｅｇｍｅｎｔ/Ｅｘｔｅｎｓｉｏｎ  Ｃａｒｒｉｅｒ＃Ａ」の６ＲＢｓにおいてＰＤＳＣＨ信号が送信されないと定義されてもよい。
【００７７】
「Ｃａｒｒｉｅｒ  Ｓｅｇｍｅｎｔ/Ｅｘｔｅｎｓｉｏｎ  Ｃａｒｒｉｅｒ＃Ｂ」や「Ｃａｒｒｉｅｒ  Ｓｅｇｍｅｎｔ/Ｅｘｔｅｎｓｉｏｎ  Ｃａｒｒｉｅｒ＃Ｃ」、及び、「ビット＃ｂ」や「ビット＃ｃ」に関しても、同様のリソース割り当ての指定方法が定義されてもよい。
【００７８】
なお、上述した例では、「Ｃａｒｒｉｅｒ  Ｓｅｇｍｅｎｔ/Ｅｘｔｅｎｓｉｏｎ  Ｃａｒｒｉｅｒ」のＲＢ数が「６」の場合を説明したが、「６」以外のＲＢ数の「Ｃａｒｒｉｅｒ  Ｓｅｇｍｅｎｔ/Ｅｘｔｅｎｓｉｏｎ  Ｃａｒｒｉｅｒ」に関しても、同様に、リソースの割り当てが行われてもよい。
【００７９】
また、上述した例では、「Ｃａｒｒｉｅｒ  Ｓｅｇｍｅｎｔ/ｘｔｅｎｓｉｏｎ  Ｃａｒｒｉｅｒ」に対して、１ビットが定義されたが、２ビット以上が定義されてもよい。
【００８０】
例えば、「Ｃａｒｒｉｅｒ  Ｓｅｇｍｅｎｔ/Ｅｘｔｅｎｓｉｏｎ  Ｃａｒｒｉｅｒ」のＲＢ数が「６」である場合に、３個のＲＢ及び３個のＲＢの２つに分割して、各３個のＲＢに対して１ビットずつ定義されてもよい。この場合、より細かく、かつ、柔軟にＲＢの割り当てが可能となる。
【００８１】
また、上述した例では、「Ｃａｒｒｉｅｒ  Ｓｅｇｍｅｎｔ/Ｅｘｔｅｎｓｉｏｎ  Ｃａｒｒｉｅｒ」の数が「３」であったが、「３」以外の数であってもよい。
【００８２】
このように、通常の「Ｃｏｍｐｏｎｅｎｔ  Ｃａｒｒｉｅｒ」及び「Ｃａｒｒｉｅｒ  Ｓｅｇｍｅｎｔ/Ｅｘｔｅｎｓｉｏｎ  Ｃａｒｒｉｅｒ」を１つのキャリアとみなして、リソース割り当てを行うのではなく、「Ｃａｒｒｉｅｒ  Ｓｅｇｍｅｎｔ/Ｅｘｔｅｎｓｉｏｎ  Ｃａｒｒｉｅｒ」に関するリソース割り当てを指定するビットを新たに付与し、そのビットの値で、「Ｃａｒｒｉｅｒ  Ｓｅｇｍｅｎｔ/Ｅｘｔｅｎｓｉｏｎ  Ｃａｒｒｉｅｒ」のリソース割り当てがあるか否かについて指定することにより、リソースブロックサイズが異なることによる、非効率的なリソース割り当てを回避することが可能となり、結果として、システムの効率化を行うことが可能となる。
【００８３】
図４に、上りスケジューリンググラントに含まれる情報要素の一例を示す。図４に示すように、上りスケジューリンググラントには、例えば、「Ｆｏｒｍａｔ  Ｉｎｄｉｃａｔｏｒ」や「Ｈｏｐｐｉｎｇ  ｆｌａｇ」や「ＲＢ  ａｓｓｉｇｎｍｅｎｔ  ｉｎｆｏｒｍａｔｉｏｎ」や「ＭＣＳ  ｉｎｆｏｒｍａｔｉｏｎ」や「Ｎｅｗ  Ｄａｔａ  Ｉｎｄｉｃａｔｏｒ」や「ＴＰＣ  ｂｉｔ」や「Ｃｙｃｌｉｃ  ｓｈｉｆｔ  ｆｏｒ  ＤＭＲＳ」や「ＣＱＩ  ｒｅｑｕｅｓｔ」や「ＲＮＴＩ/ＣＲＣ」等の情報要素が含まれてもよい。なお、上記情報要素は一例であり、上記以外の情報要素が含まれてもよいし、上記の内の一部の情報要素のみが含まれてもよい。
【００８４】
「Ｆｏｒｍａｔ  Ｉｎｄｉｃａｔｏｒ」は、当該ＰＤＣＣＨが、上りリンクのための情報であるか或いは下りリンクのための情報であるかについて示す情報である。
【００８５】
「Ｈｏｐｐｉｎｇ  ｆｌａｇ」は、当該ＰＤＣＣＨにより送信が指示される上りリンクの信号にホッピングが適用されるか否かについて示す情報である。
【００８６】
「ＲＢ  ａｓｓｉｇｎｍｅｎｔ  ｉｎｆｏｒｍａｔｉｏｎ」は、当該ＰＤＣＣＨにより送信が指示される上りリンクの信号に関するリソースブロックの割当情報を示す情報である。
【００８７】
「ＭＣＳ  ｉｎｆｏｒｍａｔｉｏｎ」は、当該ＰＤＣＣＨにより送信が指示される上りリンクの信号に関するＭＣＳに関する情報を示す情報である。
【００８８】
「Ｎｅｗ  Ｄａｔａ  Ｉｎｄｉｃａｔｏｒ」は、当該ＰＤＣＣＨにより送信が指示される上りリンクの信号が新規送信であるか或いは再送であるかについて示す情報である。
【００８９】
「ＴＰＣ  ｂｉｔ」は、当該ＰＤＣＣＨにより指定される上りリンクの信号の上りリンクの送信電力制御のための情報である。
【００９０】
「Ｃｙｃｌｉｃ  ｓｈｉｆｔ  ｆｏｒ  ＤＭＲＳ」は、当該ＰＤＣＣＨにより指定される上りリンクの信号のＤｅｍｏｄｕｌａｔｉｏｎ  Ｒｅｆｅｒｅｎｃｅ  ｓｉｇｎａｌのＣｙｃｌｉｃ  ｓｈｉｆｔに関する情報である。
【００９１】
「ＣＱＩ  ｒｅｑｕｅｓｔ」は、上りリンクにおいてＣＱＩを送信することを指示する情報である。「ＲＮＴＩ/ＣＲＣ」は、ＵＥ  ＩＤ及びＣＲＣビットである。
【００９２】
図５を用いて、「ＲＢ  ａｓｓｉｇｎｍｅｎｔ  ｉｎｆｏｒｍａｔｉｏｎ」に関して、さらに詳しく説明を行う。図５に示すように、「ＲＢ  ａｓｓｉｇｎｍｅｎｔ  ｉｎｆｏｒｍａｔｉｏｎ」は、通常の「Ｃｏｍｐｏｎｅｎｔ  Ｃａｒｒｉｅｒ」のための「ＲＢ  ａｓｓｉｇｎｍｅｎｔ  ｉｎｆｏｒｍａｔｉｏｎ（図５に示すＡの部分）」と、「Ｃａｒｒｉｅｒ  Ｓｅｇｍｅｎｔ/ｘｔｅｎｓｉｏｎ  Ｃａｒｒｉｅｒ」のための「ＲＢ  ａｓｓｉｇｎｍｅｎｔ  ｉｎｆｏｒｍａｔｉｏｎ（図５に示すＢの部分）」とから構成される。
【００９３】
ここで、通常の「Ｃｏｍｐｏｎｅｎｔ  Ｃａｒｒｉｅｒ」のための「ＲＢ  ａｓｓｉｇｎｍｅｎｔ  ｉｎｆｏｒｍａｔｉｏｎ（図５に示すＡの部分）」は、例えば、３ＧＰＰのＴＳ３６.２１３の「８.１  Ｒｅｓｏｕｒｃｅ  Ａｌｌｏｃａｔｉｏｎ  ｆｏｒ  ＰＤＣＣＨ  ＤＣＩ  Ｆｏｒｍａｔ０」において規定されている「ＲＢ （Ｒｅｓｏｕｒｃｅ  Ｂｌｏｃｋ）  ａｓｓｉｇｎｍｅｎｔ  ｉｎｆｏｒｍａｔｉｏｎ」と同一であってもよい。
【００９４】
また、「Ｃａｒｒｉｅｒ  Ｓｅｇｍｅｎｔ/Ｅｘｔｅｎｓｉｏｎ  Ｃａｒｒｉｅｒｎ」のための「ＲＢ  ａｓｓｉｇｎｍｅｎｔ  ｉｎｆｏｒｍａｔｉｏｎ（図５に示すＢの部分）」は、１つの「Ｃａｒｒｉｅｒ  Ｓｅｇｍｅｎｔ/Ｅｘｔｅｎｓｉｏｎ  Ｃａｒｒｉｅｒ」に対して、所定数のビットを定義し、かかるビットによってリソースの割り当てを指示してもよい。
【００９５】
例えば、図５に示すように、「Ｃａｒｒｉｅｒ  Ｓｅｇｍｅｎｔ/Ｅｘｔｅｎｓｉｏｎ  Ｃａｒｒｉｅｒ  ＃Ａ」や「Ｃａｒｒｉｅｒ  Ｓｅｇｍｅｎｔ/Ｅｘｔｅｎｓｉｏｎ  Ｃａｒｒｉｅｒ  ＃Ｂ」や「Ｃａｒｒｉｅｒ  Ｓｅｇｍｅｎｔ/Ｅｘｔｅｎｓｉｏｎ  Ｃａｒｒｉｅｒ  ＃Ｃ」が存在する場合に、「ビット＃ａ」や「ビット＃ｂ」や「ビット＃ｃ」がそれぞれ定義され、「ビット＃ａ」や「ビット＃ｂ」や「ビット＃ｃ」によって、それぞれ、「Ｃａｒｒｉｅｒ  Ｓｅｇｍｅｎｔ/Ｅｘｔｅｎｓｉｏｎ  Ｃａｒｒｉｅｒ  ＃Ａ」や「Ｃａｒｒｉｅｒ  Ｓｅｇｍｅｎｔ/Ｅｘｔｅｎｓｉｏｎ  Ｃａｒｒｉｅｒ  ＃Ｂ」や「Ｃａｒｒｉｅｒ  Ｓｅｇｍｅｎｔ/Ｅｘｔｅｎｓｉｏｎ  Ｃａｒｒｉｅｒ  ＃Ｃ」の割り当てが指示されてもよい。
【００９６】
より具体的には、「Ｃａｒｒｉｅｒ  Ｓｅｇｍｅｎｔ/Ｅｘｔｅｎｓｉｏｎ  Ｃａｒｒｉｅｒ  ＃Ａ」のＲＢ数を「６」とし、「ビット＃ａ」を１ビットとした場合に、「ビット＃ａ＝０」の場合に、「Ｃａｒｒｉｅｒ  Ｓｅｇｍｅｎｔ/Ｅｘｔｅｎｓｉｏｎ  Ｃａｒｒｉｅｒ＃Ａ」においてリソースの割り当てがある、すなわち、「Ｃａｒｒｉｅｒ  Ｓｅｇｍｅｎｔ/Ｅｘｔｅｎｓｉｏｎ  Ｃａｒｒｉｅｒ＃Ａ」の６ＲＢｓにおいてＰＤＳＣＨ信号が送信されると定義され、「ビット＃ａ＝１」の場合に、「Ｃａｒｒｉｅｒ  Ｓｅｇｍｅｎｔ/Ｅｘｔｅｎｓｉｏｎ  Ｃａｒｒｉｅｒ＃Ａ」においてリソースの割り当てがない、すなわち、「Ｃａｒｒｉｅｒ  Ｓｅｇｍｅｎｔ/Ｅｘｔｅｎｓｉｏｎ  Ｃａｒｒｉｅｒ＃Ａ」の６ＲＢｓにおいてＰＤＳＣＨ信号が送信されないと定義されてもよい。
【００９７】
「Ｃａｒｒｉｅｒ  Ｓｅｇｍｅｎｔ/Ｅｘｔｅｎｓｉｏｎ  Ｃａｒｒｉｅｒ＃Ｂ」や「Ｃａｒｒｉｅｒ  Ｓｅｇｍｅｎｔ/Ｅｘｔｅｎｓｉｏｎ  Ｃａｒｒｉｅｒ＃Ｃ」、及び、「ビット＃ｂ」や「ビット＃ｃ」に関しても、同様のリソース割り当ての指定方法が定義されてもよい。
【００９８】
なお、上述した例では、「Ｃａｒｒｉｅｒ  Ｓｅｇｍｅｎｔ/Ｅｘｔｅｎｓｉｏｎ  Ｃａｒｒｉｅｒ」のＲＢ数が「６」の場合を説明したが、「６」以外のＲＢ数の「Ｃａｒｒｉｅｒ  Ｓｅｇｍｅｎｔ/Ｅｘｔｅｎｓｉｏｎ  Ｃａｒｒｉｅｒ」に関しても、同様に、リソースの割り当てが行われてもよい。
【００９９】
また、上述した例では、「Ｃａｒｒｉｅｒ  Ｓｅｇｍｅｎｔ/Ｅｘｔｅｎｓｉｏｎ  Ｃａｒｒｉｅｒ」に対して、１ビットが定義されたが、２ビット以上が定義されてもよい。
【０１００】
例えば、「Ｃａｒｒｉｅｒ  Ｓｅｇｍｅｎｔ/Ｅｘｔｅｎｓｉｏｎ  Ｃａｒｒｉｅｒ」のＲＢ数が「６」である場合に、３個のＲＢと３個のＲＢの２つに分割して、各３個のＲＢに対して１ビットずつが定義されてもよい。この場合、より細かく、かつ、柔軟にＲＢの割り当てが可能となる。
【０１０１】
また、上述した例では、「Ｃａｒｒｉｅｒ  Ｓｅｇｍｅｎｔ/Ｅｘｔｅｎｓｉｏｎ  Ｃａｒｒｉｅｒ」数が「３」であったが、「３」以外の数であってもよい。
【０１０２】
このように、通常の「Ｃｏｍｐｏｎｅｎｔ  Ｃａｒｒｉｅｒ」及び「Ｃａｒｒｉｅｒ  Ｓｅｇｍｅｎｔ/Ｅｘｔｅｎｓｉｏｎ  Ｃａｒｒｉｅｒ」を１つのキャリアとみなして、リソース割り当てを行うのではなく、「Ｃａｒｒｉｅｒ  Ｓｅｇｍｅｎｔ/Ｅｘｔｅｎｓｉｏｎ  Ｃａｒｒｉｅｒ」に関するリソース割り当てを指定するビットを新たに付与し、そのビットの値で、「Ｃａｒｒｉｅｒ  Ｓｅｇｍｅｎｔ/Ｅｘｔｅｎｓｉｏｎ  Ｃａｒｒｉｅｒ」のリソース割り当てがあるか否かについて指定することにより、リソースブロックサイズが異なることによる、非効率的なリソース割り当てを回避することが可能となり、結果として、システムの効率化を行うことが可能となる。
【０１０３】
上りリンクについては、各移動局ＵＥで共有して使用されるＰＵＳＣＨ及びＰＤＣＣＨが用いられる。かかるＰＵＳＣＨにより、上りリンクのユーザデータ（上りデータ）、すなわち、通常のデータ信号が伝送される。
【０１０４】
また、ＰＵＣＣＨにより、ＰＤＳＣＨのスケジューリング処理や適応変調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、ＰＤＳＣＨの送達確認情報（Ａｃｋｎｏｗｌｅｄｇｅｍｅｎｔ  Ｉｎｆｏｒｍａｔｉｏｎ）が伝送される。
【０１０５】
かかる下りリンクの品質情報は、ＣＱＩやＰＭＩ（Ｐｒｅ-ｃｏｄｉｎｇ  Ｍａｔｒｉｘ  Ｉｎｄｉｃａｔｏｒ）やＲＩ（Ｒａｎｋ  Ｉｎｄｉｃａｔｏｒ）をまとめたインディケータであるＣＳＩ（Ｃｈａｎｎｅｌ  Ｓｔａｔｅ  Ｉｎｄｉｃａｔｏｒ）と呼ばれてもよい。
【０１０６】
また、かかる送達確認情報の内容は、送信信号が適切に受信されたことを示す肯定応答（ＡＣＫ：Ａｃｋｎｏｗｌｅｄｇｅｍｅｎｔ）又は送信信号が適切に受信されなかったことを示す否定応答（ＮＡＣＫ：Ｎｅｇａｔｉｖｅ  Ａｃｋｎｏｗｌｅｄｇｅｍｅｎｔ）の何れかで表現される。
【０１０７】
なお、上述したＣＱＩや送達確認情報の送信タイミングが、ＰＵＳＣＨの送信タイミングと同じである場合には、かかるＣＱＩや送達確認情報を、ＰＵＳＣＨに多重して送信してもよい。
【０１０８】
図６に示すように、移動局ＵＥは、制御信号受信部１１と、送信部１２と、受信部１３とを具備している。
【０１０９】
制御信号受信部１１は、上りデータ（具体的には、ＰＵＳＣＨを介して送信される上りデータ）の送信、或いは、下りデータ（具体的には、ＰＤＳＣＨを介して送信される下りデータ）の受信を指示する複数の下り制御信号を受信するように構成されている。
【０１１０】
具体的には、制御信号受信部１１は、ＰＤＣＣＨを介して、下りリンク制御信号として、「上りスケジューリンググラント」や「下りリンクスケジューリング情報」を受信するように構成されていてもよい。
【０１１１】
かかる下りリンク制御信号は、パラメータとして、上りリンクの場合には、例えば、図４に示す情報要素を含む。この場合、かかる情報要素には、図５を用いて説明を行った「ＲＢ  ａｓｓｉｇｎｍｅｎｔ  ｉｎｆｏｒｍａｔｉｏｎ」が含まれる。
【０１１２】
また、かかる下りリンク制御信号は、パラメータとして、下りリンクの場合には、例えば、図２に示す情報要素を含む。この場合、かかる情報要素には、図３を用いて説明を行った「ＲＢ  ａｓｓｉｇｎｍｅｎｔ  ｉｎｆｏｒｍａｔｉｏｎ」が含まれる。  
【０１１３】
送信部１２は、無線基地局ｅＮＢに対して、制御信号受信部１１によって受信された下りリンク制御信号に基づいて、上りデータを送信するように構成されている。
【０１１４】
例えば、送信部１２は、図５に示す「ビット＃ａ」、「ビット＃ｂ」及び「ビット＃ｃ」の値として、「ビット＃ａ＝０」、「ビット＃ｂ＝１」及び「ビット＃ｃ＝１」が通知されている場合、通常の「Ｃｏｍｐｏｎｅｎｔ  Ｃａｒｒｉｅｒ」で指定されているリソースブロックに加えて、「Ｃａｒｒｉｅｒ  Ｓｅｇｍｅｎｔ/Ｅｘｔｅｎｓｉｏｎ  Ｃａｒｒｉｅｒ＃Ａ」を用いて、上りデータを送信するように構成されていてもよい。
【０１１５】
なお、送信部１２は、通常の「Ｃｏｍｐｏｎｅｎｔ  Ｃａｒｒｉｅｒ」で指定されているリソースブロックでの送信が通知されていない場合には、「Ｃａｒｒｉｅｒ  Ｓｅｇｍｅｎｔ/Ｅｘｔｅｎｓｉｏｎ  Ｃａｒｒｉｅｒ＃Ａ」のみを用いて、上りデータを送信してもよい。
【０１１６】
受信部１３は、無線基地局ｅＮＢから、制御信号受信部１１によって受信された下りリンク制御信号に基づいて、下りデータを受信するように構成されている。
【０１１７】
例えば、受信部１３は、図３に示す「ビット＃ａ」、「ビット＃ｂ」及び「ビット＃ｃ」の値として、「ビット＃ａ＝０」、「ビット＃ｂ＝１」及び「ビット＃ｃ＝１」が通知されている場合、通常の「Ｃｏｍｐｏｎｅｎｔ  Ｃａｒｒｉｅｒ」で指定されているリソースブロックに加えて、「Ｃａｒｒｉｅｒ  Ｓｅｇｍｅｎｔ/Ｅｘｔｅｎｓｉｏｎ  Ｃａｒｒｉｅｒ＃Ａ」を用いて、下りデータを受信するように構成されていてもよい。
【０１１８】
なお、受信部１３は、通常の「Ｃｏｍｐｏｎｅｎｔ  Ｃａｒｒｉｅｒ」で指定されているリソースブロックでの受信が通知されていない場合には、「Ｃａｒｒｉｅｒ  Ｓｅｇｍｅｎｔ/Ｅｘｔｅｎｓｉｏｎ  Ｃａｒｒｉｅｒ＃Ａ」のみを用いて、下りデータを受信してもよい。
【０１１９】
図７に示すように、無線基地局ｅＮＢは、制御信号送信部２１と、受信部２２と、送信部２３とを具備している。
【０１２０】
制御信号送信部２１は、上りデータ（具体的には、ＰＵＳＣＨを介して送信される上りデータ）の送信を指示する、或いは、下りデータ（具体的には、ＰＤＳＣＨを介して送信される下りデータ）の送信を通知する１つ又は複数の下り制御信号を送信するように構成されている。
【０１２１】
具体的には、制御信号送信部２１は、ＰＤＣＣＨを介して、下りリンク制御信号として、「上りスケジューリンググラント」や「下りリンクスケジューリング情報」を送信するように構成されていてもよい。
【０１２２】
かかる下りリンク制御信号は、パラメータとして、上りリンクの場合には、例えば、図４に示す情報要素を含む。この場合、かかる情報要素には、図５を用いて説明を行った「ＲＢ  ａｓｓｉｇｎｍｅｎｔ  ｉｎｆｏｒｍａｔｉｏｎ」が含まれる。
【０１２３】
また、かかる下りリンク制御信号は、パラメータとして、下りリンクの場合には、例えば、図２に示す情報要素を含む。この場合、かかる情報要素には、図３を用いて説明を行った「ＲＢ  ａｓｓｉｇｎｍｅｎｔ  ｉｎｆｏｒｍａｔｉｏｎ」が含まれる。
【０１２４】
受信部２２は、移動局ＵＥによって１つ又は複数の下りリンク制御信号に基づいて複数のキャリアを用いて送信された上りデータを受信するように構成されている。
【０１２５】
例えば、受信部２２は、上りスケジューリンググラントの「Ｃａｒｒｉｅｒ  Ｓｅｇｍｅｎｔ/Ｅｘｔｅｎｓｉｏｎ  Ｃａｒｒｉｅｒ」の「ＲＢ  ａｓｓｉｇｎｍｅｎｔ  ｉｎｆｏｍｒａｉｔｏｎ」において、図５に示す「ビット＃ａ」、「ビット＃ｂ」及び「ビット＃ｃ」の値として、「ビット＃ａ＝０」、「ビット＃ｂ＝１」及び「ビット＃ｃ＝１」が通知されている場合、通常の「Ｃｏｍｐｏｎｅｎｔ  Ｃａｒｒｉｅｒ」で指定されているリソースブロックに加えて、「Ｃａｒｒｉｅｒ  Ｓｅｇｍｅｎｔ/Ｅｘｔｅｎｓｉｏｎ  Ｃａｒｒｉｅｒ＃Ａ」を用いて、上りデータを受信するように構成されていてもよい。
【０１２６】
なお、受信部２２は、通常の「Ｃｏｍｐｏｎｅｎｔ  Ｃａｒｒｉｅｒ」で指定されているリソースブロックでの送信が通知されていない場合には、「Ｃａｒｒｉｅｒ  Ｓｅｇｍｅｎｔ/Ｅｘｔｅｎｓｉｏｎ  Ｃａｒｒｉｅｒ＃Ａ」のみを用いて、上りデータを受信してもよい。
【０１２７】
送信部２３は、移動局ＵＥに対して、上述の複数の下りリンク制御信号によって指定した１つ又は複数のキャリアを用いて下りデータを送信するように構成されている。
【０１２８】
例えば、送信部２３は、下りスケジューリング情報の「Ｃａｒｒｉｅｒ  Ｓｅｇｍｅｎｔ/Ｅｘｔｅｎｓｉｏｎ  Ｃａｒｒｉｅｒ」の「ＲＢ  ａｓｓｉｇｎｍｅｎｔ  ｉｎｆｏｍｒａｉｔｏｎ」において、図５に示す「ビット＃ａ」、「ビット＃ｂ」及び「ビット＃ｃ」の値として、「ビット＃ａ＝０」、「ビット＃ｂ＝１」及び「ビット＃ｃ＝１」が通知されている場合、通常の「Ｃｏｍｐｏｎｅｎｔ  Ｃａｒｒｉｅｒ」で指定されているリソースブロックに加えて、「Ｃａｒｒｉｅｒ  Ｓｅｇｍｅｎｔ/Ｅｘｔｅｎｓｉｏｎ  Ｃａｒｒｉｅｒ＃Ａ」を用いて、下りデータを送信するように構成されていてもよい。
【０１２９】
なお、送信部２２は、通常の「Ｃｏｍｐｏｎｅｎｔ  Ｃａｒｒｉｅｒ」で指定されているリソースブロックでの送信が通知されていない場合には、「Ｃａｒｒｉｅｒ  Ｓｅｇｍｅｎｔ/Ｅｘｔｅｎｓｉｏｎ  Ｃａｒｒｉｅｒ＃Ａ」のみを用いて、下りデータを送信してもよい。
【０１３０】
このように、通常の「Ｃｏｍｐｏｎｅｎｔ  Ｃａｒｒｉｅｒ」及び「Ｃａｒｒｉｅｒ  Ｓｅｇｍｅｎｔ/Ｅｘｔｅｎｓｉｏｎ  Ｃａｒｒｉｅｒ」を１つのキャリアとみなして、リソース割り当てを行うのではなく、「Ｃａｒｒｉｅｒ  Ｓｅｇｍｅｎｔ/Ｅｘｔｅｎｓｉｏｎ  Ｃａｒｒｉｅｒ」に関するリソース割り当てを指定するビットを新たに付与し、そのビットの値で、「Ｃａｒｒｉｅｒ  Ｓｅｇｍｅｎｔ/Ｅｘｔｅｎｓｉｏｎ  Ｃａｒｒｉｅｒ」のリソース割り当てがあるか否かについて指定することにより、リソースブロックサイズが異なることによる、非効率的なリソース割り当てを回避することが可能となり、結果として、システムの効率化を行うことが可能となる。
【０１３１】
図８を参照しながら、本実施形態に係る移動局ＵＥの動作について説明する。
【０１３２】
図８に示すように、ステップＳ１０１において、移動局ＵＥは、下りスケジューリング情報に含まれる「ＲＢ  ａｓｓｉｇｎｍｅｎｔ  ｉｎｆｏｒｍａｔｉｏｎ」の中の「Ｃａｒｒｉｅｒ  Ｓｅｇｍｅｎｔ/Ｅｘｔｅｎｓｉｏｎ  Ｃａｒｒｉｅｒ＃Ａ」に関する割り当て情報である「ビット＃ａ」の値が「０」であるか否かについて判定する。
【０１３３】
「ビット＃ａ」の値が「０」である場合（ステップＳ１０１：ＹＥＳ）、本動作は、ステップＳ１０２に進み、それ以外の場合（ステップＳ１０１：ＮＯ）には、本動作は、ステップＳ１０３に進む。
【０１３４】
ステップＳ１０２において、移動局ＵＥは、「Ｃａｒｒｉｅｒ  Ｓｅｇｍｅｎｔ/Ｅｘｔｅｎｓｉｏｎ  Ｃａｒｒｉｅｒ＃Ａ」において、リソースブロックの割り当てがあると判断し、「Ｃａｒｒｉｅｒ  Ｓｅｇｍｅｎｔ＃Ａ」において、下りリンクにおける受信を行う。
【０１３５】
ステップＳ１０３において、移動局ＵＥは、「Ｃａｒｒｉｅｒ  Ｓｅｇｍｅｎｔ/Ｅｘｔｅｎｓｉｏｎ  Ｃａｒｒｉｅｒ＃Ａ」において、リソースブロックの割り当てがないと判断し、「Ｃａｒｒｉｅｒ  Ｓｅｇｍｅｎｔ＃Ａ」において、下りリンクの受信を行わない。
【０１３６】
なお、上述した例において、下りリンクにおける「Ｃａｒｒｉｅｒ  Ｓｅｇｍｅｎｔ/Ｅｘｔｅｎｓｉｏｎ  Ｃａｒｒｉｅｒ」の割り当てにおける移動局ＵＥの動作について説明したが、代わりに、上りリンクにおける「Ｃａｒｒｉｅｒ  Ｓｅｇｍｅｎｔ/Ｅｘｔｅｎｓｉｏｎ  Ｃａｒｒｉｅｒ」の割り当てに関しても、同様の動作が適用されてもよい。
【０１３７】
この場合、移動局ＵＥは、ステップＳ１０２において、「Ｃａｒｒｉｅｒ  Ｓｅｇｍｅｎｔ/Ｅｘｔｅｎｓｉｏｎ  Ｃａｒｒｉｅｒ＃Ａ」において、リソースブロックの割り当てがあると判断し、「Ｃａｒｒｉｅｒ  Ｓｅｇｍｅｎｔ/Ｅｘｔｅｎｓｉｏｎ  Ｃａｒｒｉｅｒ＃Ａ」において、上りリンクの送信を行い、ステップＳ１０３において、「Ｃａｒｒｉｅｒ  Ｓｅｇｍｅｎｔ/Ｅｘｔｅｎｓｉｏｎ  Ｃａｒｒｉｅｒ＃Ａ」において、リソースブロックの割り当てがないと判断し、「Ｃａｒｒｉｅｒ  Ｓｅｇｍｅｎｔ/Ｅｘｔｅｎｓｉｏｎ  Ｃａｒｒｉｅｒ＃Ａ」において、上りリンクの送信を行わない。
【０１３８】
以上に述べた本実施形態の特徴は、以下のように表現されていてもよい。
【０１３９】
本実施形態の第１の特徴は、無線基地局ｅＮＢと、通常の「Ｃｏｍｐｏｎｅｎｔ  Ｃａｒｒｉｅｒ」（通常のキャリア）と「Ｃａｒｒｉｅｒ  Ｓｅｇｍｅｎｔ/Ｅｘｔｅｎｓｉｏｎ  Ｃａｒｒｉｅｒ」（付加的なキャリア）とを用いて下りリンクの通信を行うように構成されている移動局ＵＥであって、無線基地局ｅＮＢから、下りデータの送信を通知する下りリンク制御信号を受信するように構成されている制御信号受信部１１と、受信された下りリンク制御信号に基づいて、下りデータの受信を行うように構成されている受信部１３とを具備し、下りリンク制御信号は、通常の「Ｃｏｍｐｏｎｅｎｔ  Ｃａｒｒｉｅｒ」のリソース割り当て情報「ＲＢ  ａｓｓｉｇｎｍｅｎｔ  ｉｎｆｏｍｒａｉｔｏｎ（図３に示す（Ａ）の部分）」に加えて、「Ｃａｒｒｉｅｒ  Ｓｅｇｍｅｎｔ/Ｅｘｔｅｎｓｉｏｎ  Ｃａｒｒｉｅｒ」の割り当ての有無を示すビット（図３に示す（Ｂ）の部分を構成するビット＃ａ乃至＃ｃ）を含むことを要旨とする。
【０１４０】
本実施形態の第２の特徴は、無線基地局ｅＮＢと、通常の「Ｃｏｍｐｏｎｅｎｔ  Ｃａｒｒｉｅｒ」と「Ｃａｒｒｉｅｒ  Ｓｅｇｍｅｎｔ/Ｅｘｔｅｎｓｉｏｎ  Ｃａｒｒｉｅｒ」とを用いて上りリンクの通信を行うように構成されている移動局ＵＥであって、無線基地局ｅＮＢから、上りデータの送信を指示する下りリンク制御信号を受信するように構成されている制御信号受信部１１と、受信された下りリンク制御信号に基づいて、上りデータの送信を行うように構成されている送信部１２とを具備し、下りリンク制御信号は、通常の「Ｃｏｍｐｏｎｅｎｔ  Ｃａｒｒｉｅｒ」のリソース割り当て情報「ＲＢ  ａｓｓｉｇｎｍｅｎｔ  ｉｎｆｏｍｒａｉｔｏｎ（図５に示す（Ａ）の部分）」に加えて、「Ｃａｒｒｉｅｒ  Ｓｅｇｍｅｎｔ/Ｅｘｔｅｎｓｉｏｎ  Ｃａｒｒｉｅｒ」の割り当ての有無を示すビット（図５に示す（Ｂ）の部分を構成するビット＃ａ乃至＃ｃ）を含むことを要旨とする。
【０１４１】
本実施形態の第３の特徴は、移動局ＵＥと、通常の「Ｃｏｍｐｏｎｅｎｔ  Ｃａｒｒｉｅｒ」と「Ｃａｒｒｉｅｒ  Ｓｅｇｍｅｎｔ/Ｅｘｔｅｎｓｉｏｎ  Ｃａｒｒｉｅｒ」とを用いて下りリンクの通信を行うように構成されている無線基地局ｅＮＢであって、移動局ＵＥに対して、下りデータの送信を通知する下りリンク制御信号を送信するように構成されている制御信号送信部２１と、下りデータの送信を行うように構成されている送信部２３とを具備し、下りリンク制御信号は、通常の「Ｃｏｍｐｏｎｅｎｔ  Ｃａｒｒｉｅｒ」のリソース割り当て情報「ＲＢ  ａｓｓｉｇｎｍｅｎｔ  ｉｎｆｏｍｒａｉｔｏｎ（図３に示す（Ａ）の部分）」に加えて、「Ｃａｒｒｉｅｒ  Ｓｅｇｍｅｎｔ/Ｅｘｔｅｎｓｉｏｎ  Ｃａｒｒｉｅｒ」の割り当ての有無を示すビット（図３に示す（Ｂ）の部分を構成するビット＃ａ乃至＃ｃ）を含むことを要旨とする。
【０１４２】
本実施形態の第４の特徴は、移動局ＵＥと、通常の「Ｃｏｍｐｏｎｅｎｔ  Ｃａｒｒｉｅｒ」と「Ｃａｒｒｉｅｒ  Ｓｅｇｍｅｎｔ/Ｅｘｔｅｎｓｉｏｎ  Ｃａｒｒｉｅｒ」とを用いて上りリンクの通信を行うように構成されている無線基地局ｅＮＢであって、移動局ＵＥに対して、上りデータの送信を指示する下りリンク制御信号を送信するように構成されている制御信号送信部２１と、上りデータの受信を行うように構成されている受信部２２とを具備し、下りリンク制御信号は、通常の「Ｃｏｍｐｏｎｅｎｔ  Ｃａｒｒｉｅｒ」のリソース割り当て情報「ＲＢ  ａｓｓｉｇｎｍｅｎｔ  ｉｎｆｏｍｒａｉｔｏｎ（図５に示す（Ａ）の部分）」に加えて、「Ｃａｒｒｉｅｒ  Ｓｅｇｍｅｎｔ/Ｅｘｔｅｎｓｉｏｎ  Ｃａｒｒｉｅｒ」の割り当ての有無を示すビット（図５に示す（Ｂ）の部分を構成するビット＃ａ乃至＃ｃ）を含むことを要旨とする。
【０１４３】
本実施形態の第５の特徴は、無線基地局ｅＮＢと、通常の「Ｃｏｍｐｏｎｅｎｔ  Ｃａｒｒｉｅｒ」と「Ｃａｒｒｉｅｒ  Ｓｅｇｍｅｎｔ/Ｅｘｔｅｎｓｉｏｎ  Ｃａｒｒｉｅｒ」とを用いて下りリンクの通信を行う移動局ＵＥにおける移動通信方法であって、無線基地局ｅＮＢから、下りデータの送信を通知する下りリンク制御信号を受信する工程と、受信した下りリンク制御信号に基づいて、下りデータの受信を行う工程とを備え、下りリンク制御信号は、通常の「Ｃｏｍｐｏｎｅｎｔ  Ｃａｒｒｉｅｒ」のリソース割り当て情報「ＲＢ  ａｓｓｉｇｎｍｅｎｔ  ｉｎｆｏｍｒａｉｔｏｎ（図３に示す（Ａ）の部分）」に加えて、「Ｃａｒｒｉｅｒ  Ｓｅｇｍｅｎｔ/Ｅｘｔｅｎｓｉｏｎ  Ｃａｒｒｉｅｒ」の割り当ての有無を示すビット（図３に示す（Ｂ）の部分を構成するビット＃ａ乃至＃ｃ）を含むことを要旨とする。
【０１４４】
本実施形態の第６の特徴は、無線基地局ｅＮＢと、通常の「Ｃｏｍｐｏｎｅｎｔ  Ｃａｒｒｉｅｒ」と「Ｃａｒｒｉｅｒ  Ｓｅｇｍｅｎｔ/Ｅｘｔｅｎｓｉｏｎ  Ｃａｒｒｉｅｒ」とを用いて上りリンクの通信を行う移動局ＵＥにおける移動通信方法であって、無線基地局ｅＮＢから、上りデータの送信を指示する下りリンク制御信号を送信する工程と、受信した下りリンク制御信号に基づいて、上りデータの送信を行う工程とを備え、下りリンク制御信号は、通常の「Ｃｏｍｐｏｎｅｎｔ  Ｃａｒｒｉｅｒ」のリソース割り当て情報「ＲＢ  ａｓｓｉｇｎｍｅｎｔ  ｉｎｆｏｍｒａｉｔｏｎ（図５に示す（Ａ）の部分）」に加えて、「Ｃａｒｒｉｅｒ  Ｓｅｇｍｅｎｔ/Ｅｘｔｅｎｓｉｏｎ  Ｃａｒｒｉｅｒ」の割り当ての有無を示すビット（図５に示す（Ｂ）の部分を構成するビット＃ａ乃至＃ｃ）を含むことを要旨とする。
【０１４５】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【０１４６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【０１４８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１４９】
ＵＥ…移動局
ｅＮＢ…無線基地局
１１…制御信号受信部
１２、２３…送信部
１３、２２…受信部
２１…制御信号送信部
【図１】
2011135234.tif 000003
【図２】
2011135234.tif 000004
【図３】
2011135234.tif 000005
【図４】
2011135234.tif 000006
【図５】
2011135234.tif 000007
【図６】
2011135234.tif 000008
【図７】
2011135234.tif 000009
【図８】
2011135234.tif 000010
【図９】
2011135234.tif 000011
【図１０】
2011135234.tif 000012
【図１１】
2011135234.tif 000013